(57)【要約】【課題】スノーボードの利用者の股関節の旋回動作能力の平均値や、利用者の経験値に基づく論理的なバインディングの設定方法の提供。【解決手段】スタンサーによるバインディングの設定方法であって、次の手順を特徴とする方法。(1)  利用者の身長・体重・年齢・性別等の個人情報を情報処理手段に入力する。(2)  利用者の股関節の可動範囲を複数回測定した測定値の平均値並びに利用者の経験値に基づき最適のセッティングスタイルを決定して前記情報処理手段に入力する。(3)  前記(1)のデータに基づいて、前記情報処理手段におけるデータ処理手段において利用者に最適のスタンス巾、センター角度、セッティングスタンス角度もしくは前後脚の角度等を前記情報処理手段により出力する。(4)  前記(1)〜(3)の結果に基づいてバインディングを取り付ける。【選択図】図３
2008093226.tif 000002
【特許請求の範囲】
【請求項１】
スノーボートの利用者の左右両脚の股関節の旋回動作能力を測定してバインディングの取り付け条件を設定可能とした装置において、基台上に利用者の左右両脚を個別的に搭乗可能とした一組の回転ディスクを設け、この回転ディスクの旋回量を検知する角度センサを配設し、操作指令部によって指令される情報処理手段に前記旋回量を報知し、情報処理手段に装備させたデータ処理手段によってバインディングの設定状況を決定可能としたスタンサーによるバインディングの設定方法であって、次の手順を特徴とする方法。
(1)  利用者の身長・体重・年齢・性別等の個人情報を情報処理手段に入力する。
(2)  利用者の股関節の可動範囲を複数回測定した測定値の平均値並びに利用者の経験値に基づき最適のセッティングスタイルを決定して前記情報処理手段に入力する。
(3)  前記(1)のデータに基づいて、前記情報処理手段におけるデータ処理手段において利用者に最適のスタンス巾、センター角度、セッティングスタンス角度もしくは前後脚の角度等を前記情報処理手段により出力する。
(4)  前記(1)〜(3)の結果に基づいてバインディングを取り付ける。
【請求項２】
請求項１の(1)乃至(4)の手順による設定方法によりスノーボードにバインディングを取り付けるバインディングの取り付け方法。
【請求項３】
請求項１によって、利用者の個体特性に適合したバインディングを装備させたスノーボードのレンタル方法であって、請求項１の(1)乃至(4)の手順を行った後、このスノーボードを利用者に貸与するレンタル方法。
【発明の詳細な説明】
【技術分野】
【０００１】
この発明は、スノーボードを購入し、もしくは貸与を受けて利用する利用者自身の年齢、性別や体格等の個人情報に適合した最適なバインディングの設定方法等の技術分野に属するものである。
【背景技術】
【０００２】
ウインタースポーツの一種として人気の高いスノーボードの利用者は増加し続けている一方、利用者の未熟な使用技術や、スノーボードの選定ミス等の要因から不慮の事故の発生も懸念されている。
【０００３】
一般的にスノーボードスポーツにおいて、利用者に適合するスノーボードの選定に際しては、利用者自身がインストラクターや運動用具店の相談員からアドバイスを受け、スノーボードを試用して利用者自身の体感度や好み等から概ね感能的に評価し、選定を決断しており、利用者自身の特性、例えば身体的特徴、運動技能度等を考慮して科学的な観点で選定されてはいないのが実情であった。
【０００４】
又、スノーボードの選定と同様に重要なバインディングの設置に当たっても、前記と同様にインストラクターや相談員のアドバイスによって実施されており、必ずしも科学的でも理論的でもなかった。
【０００５】
（従来手法）
例えば、従来手法としては、自己のスノーボードにバインディングを装備させる場合や、レンタルショップで貸与を受ける場合等は、通常次のような手順でスタンスを決定していた。
【０００６】
即ち、
・  利用者が後ろから他人に背中を押してもらい、先に出た側の足をスノーボードの前足とする。
・  利用者に滑り易い廊下を歩くようにすり足で歩かせ、その時の前足をスノーボードの前足とする。
・  利用者が両足を閉じてジャンプし、足が地面につく瞬間に無意識に足を前後させ、その時の前足をスノーボードの前足にする。
等があるが、無意識的にこれを実施することは必ずしも容易ではなく、客観的な前足の決定は保障し難いものであった。
【０００７】
更に、左足の足のセッティング角度を決定するには、現状では利用者の個体差を無視して使用者の体感を主体として、例えば、左足１５度、右足０度とか、左足２１度、右足９度というように格別の根拠もなく決定されている。
【０００８】
このため、未熟練者にはスノーボードの使用による疲労感が大きく、更には怪我の原因ともなり、又、経験者にとっては技能の向上に支障を来たすおそれがあった。
【０００９】
又、レンタルショップで貸与を受ける使用者の場合には、ビギナーが大半を占めているため、予め平均的にスノーボードに取り付けられたバインディングのスタンス巾等に対して疑念も持たずにこれを使用することとなり、不適合による重大な負傷等の事故のおそれがあった。
【００１０】
利用者がスノーボードをレンタル（貸与）する場合には、一般的には次のＸ１〜Ｘ４の手順が行われていた。
【００１１】
Ｘ１…  申込書に身長、体重、ブーツのサイズ、技術レベル（初、中、上）の申告をする。
Ｘ２…  レンタル業者が経験的に身長から１０ｃｍ〜１５ｃｍ短い長さのスノーボードを選定。
Ｘ３…  ・  利用者のヒアリングでレギュラーもしくはグッフィの形式を決定する。
・  業者の経験により、バインディング角度の決定。
Ｘ４…  貸し出し。
【００１２】
この場合、殆どレンタル業者の経験と利用者の好みによって決定されるため、科学的でも理論的でもないのが実状であった。
【００１３】
【特許文献１】特開２００５−１３５５０号公報  このような実状に対応するため、特開２００５−１３５５０号公報で開示した発明（先行発明）が提案されている。
【００１４】
即ち、この先行発明によれば、利用者の股関節の可動範囲等の身体特性に科学的に適合するようにスノーボードにバインディングを設置できるものである。
【００１５】
従って、利用者は、安全にスノーボードスポーツを楽しめるだけなく、その操作技術を急速に向上させることができるものである。
【００１６】
しかしながら、現実に先行発明を実施した場合に更なる改善すべき次の点が明らかになった。
【００１７】
・  改善点１
利用者の股関節の可動範囲にあっては、都度微妙に測定誤差が発生し、その数値に基づいて算出されるセッティングスタイル他にもバラツキが見られるため、利用者の信頼性の点で不安である。
【００１８】
・  改善点２
利用者の経験的な技術力を無視して現実の個人情報のみに基づいてセッティングスタイル等を決定すると、経験的に身体に覚え込んだセッティングスタイル等との違和感がつきまとい、却って技術力の向上を阻害し、又、怪我の発生の要因ともなっていた。
【発明の開示】
【発明が解決しようとする課題】
【００１９】
この発明によって解決しようとする各問題点は次の通りである。
【００２０】
この発明が解決しようとする第１の課題点は、利用者の体格等の身体的特徴や年齢、性別等の条件に加えて利用者の経験年数や経験回数等の経験値による技術力を加味した最適の状態でスノーボード上にバインディングを設定しうる方法を提供することである。
【００２１】
この発明が解決しようとする第２の課題点は、利用者のセッティングスタイル、センター角度、スタンス巾、セッティングスタンス角度もしくは前後足の角度を決定してスノーボード上にバインディングを複数回の測定値の平均値から最適状態に装備させうるものを提供することである。
【００２２】
この発明が解決しようとする第３の課題点は、利用者に最適な状態にスノーボード上にバインディングを装備させて、快適で怪我のおそれがなく、スノーボーディング技能を効果的に向上させることができるものを提供することである。
【課題を解決するための手段】
【００２３】
前記の課題を解決する手段として次の発明が挙げられる。
【００２４】
(1)  スノーボートの利用者の左右両脚の股関節の旋回動作能力を測定してバインディングの取り付け条件を設定可能とした装置において、基台上に利用者の左右両脚を個別的に搭乗可能とした一組の回転ディスクを設け、この回転ディスクの旋回量を検知する角度センサを配設し、操作指令部によって指令される情報処理手段に前記旋回量を報知し、情報処理手段に装備させたデータ処理手段によってバインディングの設定状況を決定可能としたスタンサーによるバインディングの設定方法であって、次の手順を特徴とする方法。
(1)-1．利用者の身長・体重・年齢・性別等の個人情報を情報処理手段に入力する。
(1)-2．利用者の股関節の可動範囲を複数回測定した測定値の平均値並びに利用者の経験値に基づき最適のセッティングスタイルを決定して前記情報処理手段に入力する。
(1)-3．前記(1)-1のデータに基づいて、前記情報処理手段におけるデータ処理手段において利用者に最適のスタンス巾、センター角度、セッティングスタンス角度もしくは前後脚の角度等を前記情報処理手段により出力する。
(1)-4．前記(1)-1〜(1)-3の結果に基づいてバインディングを取り付ける。
【００２５】
前記(1)の(1)-1乃至(1)-4の手順による設定方法によりスノーボードにバインディングを取り付けるバインディングの取り付け方法。
【００２６】
前記(1)によって、利用者の個体特性に適合したバインディングを装備させたスノーボードのレンタル方法であって、前記(1)の(1)-1乃至(1)-4の手順を行った後、このスノーボードを利用者に貸与するレンタル方法。
【００２７】
以上の如き解決手段によれば、前記の課題を解決できるばかりでなく、有効に発明の効果をも達成できるものである。
【発明の効果】
【００２８】
以上説明したこの発明による特有の効果は次の如くである。
【００２９】
(1)  スノーボード上に利用者の身体的特性や経験値に適合したバインディングの設置ができる。
【００３０】
(2)  スノーボード上に利用者の性別、もしくは年齢又は性別に芳しいバインディングの設定ができる。
【００３１】
(3)  利用者の体質に応じたスノーボードのライディングスタイルを選定できる。
【００３２】
(4)  利用者に適合したスノーボーディングが行えるため、身体上に無理な負担が与えられることがなく、怪我や事故の発生を未然防止できる。
【００３３】
(5)  利用者に適合したスノーボーディングが行えるため、そのスノーボーディング技能が飛躍的に向上できる。
【００３４】
(6)  利用者の経験値を加味したバインディングの設定ができるため、スノーボーディングを楽しめる。
【発明を実施するための最良の形態】
【００３５】
この発明の内容を図面を参照して次の手順で説明する。
１．股関節の旋回機能測定装置（スタンサー）。
２．バインディングの取り付け方法。
３．スノーボードのレンタル方法。
４．本発明の論拠の説明。
【００３６】
１．股関節の運動機能測定装置１００（スンタンサー）
図１及び図２に示すスタンサー１００は、基台１１０上に利用者が横向きで左右両足を搭乗させることができる一組の回転ディスク１２０、１３０の支持軸１２１、１３１を図２の矢印Ａ、Ｂ方向に自由に回転可能に取り付けている。
【００３７】
又、この支持軸１２１、１３１の旋回角度を検出しうる角度センサ１４０、１５０が基台１１０に配備されている。
【００３８】
更に、前記角度センサ１４０、１５０は、その角度情報をコンピュータ等の情報処理手段（Ｃ．Ｐ．Ｕ）１６０に伝送しうるように連係されている。
【００３９】
又、前記Ｃ．Ｐ．Ｕ１６０には股関節の可動範囲並びにその平均値の計算を実行するばかりでなく、その可動中心位置を決定する機能を有する特定手順のデータ処理手段を内蔵しており、その情報をプリンタ１７０によりプリントアウトできるように構成されている。
【００４０】
尚、図１において１８０は、身長等、利用者の個体の特徴を入力する身体データ入力部１９０は操作指令部である。
【００４１】
このスタンサー１００の機能については４項で後述する。
【００４２】
２．バインディングの設定方法
以上説明した装置を利用してバインディングを適切に取り付ける通常の方法について、スノーボードを購入する場合を例にとって図１〜図２を参照して説明する。
【００４３】
スノーボード購入の際には、利用者は事前に自己の個体特性に適合するバインディングの設定（セッティング）の情報を次の手順によって販売店（ショップ）で係員の指示に従って確認し、係員は操作指令部１９０から所望の出力を要求するようＣ．Ｐ．Ｕ１６０にオーダーする
【００４４】
Ａ．スタンサー１００による股関節の旋回能力に応じたバインディングのセッティング条件を次のＳ１〜Ｓ５の手順により決定
Ｓ１…  利用者は、スタンサー１００の回転ディスク１２０、１３０上に横向き（スタンサー１００の短手方向）に両足で起立する（旋回角度＝０）。
Ｓ２…  操作指令部１９０でＣ．Ｐ．Ｕ１６０に指示した後、左右の足を図２における矢印Ａ、Ｂ方向に自力で無理をしない程度に旋回させ、角度センサ１４０、１５０により股関節の最大回転角度を計測する。
Ｓ３…  Ｓ２によって計測された角度データをＣ．Ｐ．Ｕ１６０に伝送すると、内蔵されたデータ処理手段により股関節の平均可動角度と、その中心位置が決定される。
図２の図示例の場合では、左足の可動角度は２０度プラス１０度で合計３０度であり、左足については１０度で合計２０度であるため、左足を前足とするのが望ましい。
又、可動中心位置は、左足が反時計方向に１０度、右足については０度（短手方向正面）であることが判明する。
Ｓ４…  これによって、可動角度の大きい側の足をスノーボードを横乗り（サイドウェスタンス）の際の前足とする（詳細は４項で後述する）。
即ち、右足が左足よりセンター位置が外の場合には、スタンスは「レギュラー」形式が望ましく、右足がセンター角度の外となる場合には、スタンスとしては「グーフィー」形式が望ましい。
Ｓ５…  次いで、利用者の身長や体重等の個体情報を身体データ入力部１８０からＣ．Ｐ．Ｕ１６０に入力することにより、左足の足の間隔（スタンス巾）が決定され、プリンタ１７０によりプリントアウトされる。
【００４５】
以上の手順によって、スノーボードの短手方向に関するバインディングの適切なセッティング角度が得られ、又、スタンス巾も決定されるので、これによって利用者の個体特性に適合したバインディングのセッティングができるものである。
【００４６】
Ｃ．Ｐ．Ｕ１６０に内蔵するデータ処理手段については４項で後述する。
【００４７】
３．スノーボードのレンタル方法
(1)  貸与手順
従来手法の項において説明した通常のレンタル手順（「０００６」〜「０００７」）を改善した後述するレンタル手順をＴ１〜Ｔ７により説明するが、前項で説明した購入の際の手順と共通している部分については、その旨表示するに止めて以下に説明する。
Ｔ１…  利用者は、レンタル業者に少なくとも、身長、体重、ブーツサイズ及び技術レベルを申告する。
Ｔ２…  レンタル業者は、Ｔ１のデータをコンピュータ等の情報処理手段（Ｃ．Ｐ．Ｕ）１６０に入力する。
Ｔ３…  レンタル業者はスタンサーにより、利用者のスタンスの測定を行い（前記の手順Ｓ１〜Ｓ３）操作指令部１９０からＣ．Ｐ．Ｕ１６０に入力する。
Ｔ４…  Ｃ．Ｐ．Ｕ１６０では、内蔵するデータ処理手段により、利用者に最適のスタンスを決定し、そのデータをプリンタ１７０によりプリントアウトする。
Ｔ５…  前記のデータに基づいて業者は最適のボードを選定する。
Ｔ６…  選定されたボードに前記のデータに整合するスタンスの種類、セッティング角度、スタンス巾等でバインディングをボードに取り付ける。
Ｔ７…  用具一式を利用者に貸与する。
【００４８】
４．本発明の論拠の説明
次に、以上説明したこのスタンサー１００による本発明の機能について図３〜図７を参照して説明すると次の通りである。
【００４９】
(Ａ1)．図３に示すように予め利用者に身長、体重、年齢、性別及び好みのライディングスタイル（スノーボードの乗り方）等の個人情報について自己申告させ、必要に応じてはオペレータにより計測してそのデータをＣ．Ｐ．Ｕ１６０に入力する。
【００５０】
［１］  セッティングスタイルＳＴ（スノーボードに搭乗する乗り方）を手順Ｋ１〜Ｋ９により決定（図３）
統計データに基づけば、セッティングスタイルＳＴは利用者の左右足の外転角の比較によることが判明したので、前記手順Ａ１に続いて次の手順でこれを決定した。
【００５１】
尚、経験レベルについては、統計値から次のように決定した。
・  ビギナー  …  未経験又は３回未満
・  ミドルランカー  …  ３回〜１０回未満
・  エキスパート  …  １０回以上
【００５２】
又、経験値スタイルについては、次のように決定した。
・  レギューラースタイル＝左足外転角＞右足外転角
・  グーフィースタイル＝左足外転角＜右足外転角
・  マルチスタイル＝左足外転角＝右足外転角
【００５３】
（Ｋ１）…  スタンサー１００により利用者の左右の足の内転（内向き）角、及び外転（外向き）角を複数回測定してＣ．Ｐ．Ｕ１６０に入力する。
（Ｋ２）…  Ｃ．Ｐ．Ｕ１６０にて前記測定値の平均値を算出する。
（Ｋ３）…  次いで、利用者の申告により、ビギナーであるか否かを入力し、ビギナーであればＫ４のステップに進む。
（Ｋ４）…  左右足の外転角度を比較する。
（Ｋ５）…  前記比較結果に基づいてセッティングスタイルを決定し、終了する。
（Ｋ６）…  前記手順Ｋ３でＮの場合は、手順Ｋ６に進みミドルランカーか否かを判定する。
（Ｋ７）…  手順Ｋ６でミドルランカーの場合にマルチスタイルか否かを判定し、マルチスタイルでない場合には、前記手順Ｋ４に進み、マルチスタイルの場合には手順Ｋ９に進み、経験値スタイルに決定し、終了する。
（Ｋ８）…  手順Ｋ６において、Ｎの場合には、エキスパートか否かを判定し、Ｎの場合には、手順Ｋ３に戻って再判定するが、エキスパートの場合には、Ｋ９に進んで経験値スタイルに決定し、終了する。
【００５４】
［２］  スタンス巾ＳＳ（左右の足の間隔）を手順Ｌ１〜Ｌ７で決定（図４）
好適なスタンス巾ＳＳについては、利用者の体重ＰＷと身長ＰＨとが関係することが実測もしくは申告されているので（Ａ１）、この経験に基づいて次の手順でこれを決定した。
【００５５】
（Ｌ１）．利用者の体重Ｗと標準体重ＳＷとをＣ．Ｐ．Ｕ１６０で比較式で比較し、標準体重ＳＷ以下の場合は体重補正値αを零とし、それ以上の場合には実験式に基づいて体重補正値αをＣ．Ｐ．Ｕ１６０において算出する。
【００５６】
例えば、
α＝Ｗ−ＳＷ／Ａ１（Ａ１は２以上で８以下）
の式によって体重補正値αを算出する。
【００５７】
（Ｌ２）．この場合、標準体重ＳＷを６０ｋｇとして好ましい結果が得られた。
【００５８】
（Ｌ３）．次に身長ＰＨについてみれば、基準身長ＳＨと利用者の身長ＰＨとの関係は実験的に次のことが明らかである。
【００５９】
ＰＨ≦ＳＨ…ＳＳ＝Ｂ１＋α（Ｂ１は２５ｃｍ以上）
１５０≦ＰＨ…ＳＳ＝ＰＨ−Ｂ２＋α（Ｂ２は１１５ｃｍ以上で１２５ｃｍ以下）
この場合、身長補正値βは次の数式による。
β＝−１２０＋Ｂ３
但し、Ｂ３はＰＨが１０ｃｍ増える毎に１．０１Ｂ１、１．０２Ｂ２のように等差状に増大。
【００６０】
（Ｌ４）．これにより、身長補正値βが仮決定される。
【００６１】
従って、例えば次の如くとなる。
１５０≦ＰＨ≦１５２…ＳＳ＝ＰＨ−１２０＋α
１５３≦ＰＨ≦１５５…ＳＳ＝ＰＨ−１２２＋α
１８７≦ＰＨ…ＳＳ＝ＰＨ−１４６＋α
【００６２】
（Ｌ５）．次に、Ｃ．Ｐ．Ｕ１６０において入力済みの利用者の年齢ｙに応じてスタンス巾Ｗの年齢補正値γを算出する。
【００６３】
例えば、
ｙ≦２９        …  γ＝Ｃ１
３０≦ｙ≦３９  …  γ＝Ｃ１＋１ｃｍ
４０≦ｙ≦４９  …  γ＝Ｃ１＋２ｃｍ
５０≦ｙ        …  γ＝Ｃ１＋３ｃｍ
とする。
この場合、Ｃ１は０以上５以下である。
【００６４】
（Ｌ６）．Ｃ．Ｐ．Ｕ１６０のデータ処理手段において、この年齢補正値γをＬ１で算出済みの体重補正値α並びに身長補正値βを加味して、最終的にスタンス巾ＳＳを決定する（Ｌ７）。
【００６５】
［３］  センター角度ＣＡ（身体の正面と左右の足の中心との間の角度）を手順Ｍ１、Ｍ２で決定（図５）
利用者の左右の足の長手方向に指向するセンター角度ＣＡは利用者の性別によって一定の法則が経験的に実証されているので（Ａ１）、次の手順によってこれを決定した。
【００６６】
（Ｍ１）．入力済みの利用者の性別（ＭＭ、ＷＭ）データを採用し、男性、女性のセンター角度ＣＡを実験式に基づいてＣ．Ｐ．Ｕ１６０により算出する。
【００６７】
例えば、男性の場合には、次の式となる。
左足センター角度＝左足外転角−（左足外転角＋左足内転角）×Ｄ１
右足センター角度＝右足外転角−（右足外転角＋右足内転角）×Ｄ１
但し、Ｄ１は０．５以上で、０．６以下であり、女性の場合は０．５５以上で、０．６５以下である。
【００６８】
（Ｍ２）．これによりセンター角度ＣＡを決定する。
【００６９】
［４］  セッティングスタンス角度ＳＡ（左右の足の相関角度）を手順Ｎ１、Ｎ２で決定（図６）
セッティングスタンス角度ＳＡについては、センター角度が決定されると共に、セッティングスタイルが決まった後に利用者の両足のスタンス角度を相関的に決めるものであって、前記セッティングスタイルに関連することが実証されているので、次のようにしてこれを決定した。
【００７０】
（Ｎ１）．ライディングスタイルがレギュラー又はマルチの場合と、グーフィーの場合について、Ｃ．Ｐ．Ｕ１６０においてセンター角度ＣＡに基づいて、セッティングスタンス角度ＳＡを算出する。
【００７１】
例えば、レギュラー又はマルチスタイルの場合には、
前足＝左足のセンター角度
後足＝（マイナス）−右足のセンター角度
又、グーフィースタイルの場合は、
前足＝右足のセンター角度
後足＝（マイナス）−左足のセンター角度
【００７２】
（Ｎ２）．以上に準じて前記のセッティングスタンス角度ＳＡを決定する。
【００７３】
［５］  前後足の角度ＡＧを手順Ｐ１、Ｐ２で決定（図７）
（Ｐ１）．ライディングスタイルがフリースタイルの場合か否かで次のように決定される。
【００７４】
例えば、ライディングスタイルがフリースタイルの場合には、
前足角度＜１０度…後足角度＝後足センター位置
前足角度≧１０度…後足角度＝後足センター位置＋Ｅ１
フリースタイル以外であれば、
後足角度＜４０度…前足角度＝前足センター位置＋Ｅ２
後足角度≧４０度…前足角度＝前足センター位置＋Ｅ３
の如くにＣ．Ｐ．Ｕ１６０で算出する。
【００７５】
この場合、Ｅ１は５度以上で１０度以上、Ｅ２は３０度以上で４５度以下、Ｅ３は４５度以上で５５度以下が望ましい。
【００７６】
（Ｐ２）．これに準じて前記の両足の角度ＡＧを決定する。
【００７７】
以上の手順により、算出されたセッティングスタイルＳＴ、スタンス巾ＳＳ、センター角度ＣＡ、セッティングスタンス角度ＳＡ等は、プリンタ１７０によりプリントアウトできるものである。
【００７８】
尚、前記した各手順については、操作指令部１９０によって、シーケンシャルに順次決定し、その結果を一括してプリントアウトすることにより、利用者に最適のバインディングの取り付け条件が一挙にプリントアウトされ、効率的に購入又はレンタルできるものであるが、操作指令部１９０により、スタンス巾ＳＳ、スタンス角度ＳＡ等を個別的に出力して利用者の望む最適な条件を適宜決定できることは設計上、可能であることは言うまでもないことである。
【００７９】
以上のように、科学的、理論的にセッティングされたスノーボードスポーツにあっては、利用者による怪我の発生は殆ど報告されておらず、更には、利用者のスノーボーディング能力レベルは飛躍的に向上されることが各種検定結果において実証されている。
【産業上の利用可能性】
【００８０】
スノーボードの販売やレンタルに当たって、例えば課外授業、修学旅行、その他大・小各種のグループ毎に利用する際には、予め前記したスタンサーによって利用者の身体特性やバランス能力を測定しておけば、販売やレンタルショップで効率的に購入し、貸与を受けることができるものであって、産業上の利用可能性が高い。
【図面の簡単な説明】
【００８１】
【図１】スタンサーの機能ブロック図。
【図２】図１のスタンサーの平面図。
【図３】セッティングスタイル決定のフローチャート。
【図４】スタンス巾決定のフローチャート。
【図５】センター角度決定のフローチャート。
【図６】セッティングスタンス角度決定のフローチャート。
【図７】前後足の角度決定のフローチャート。
【符号の説明】
【００８２】
１００            スタンサー
１１０            基台
１２０、１３０    回転ディスク
１６０            情報処理手段（Ｃ．Ｐ．Ｕ）
【図１】
2008093226.tif 000003
【図２】
2008093226.tif 000004
【図３】
2008093226.tif 000005
【図４】
2008093226.tif 000006
【図５】
2008093226.tif 000007
【図６】
2008093226.tif 000008
【図７】
2008093226.tif 000009